(57)【特許請求の範囲】
【請求項１】
空気吸込み口及び空気吹出し口を有する筐体と、
前記筐体内に配置された熱交換器と、
室内の空気を前記空気吸込み口から吸込み、前記熱交換器を通してから前記空気吹出し口より吹出す送風ファンと、
在室者を検知する赤外線検知装置と、
前記室内の音を検知する音声検知装置と、を備え、
空気調和機の運転中に、前記赤外線検知装置が設定時間在室者を検知しないときは、前記送風ファンの回転数を下げ、且つ、前記送風ファンの回転数を下げた後に前記音声検知装置に前記室内の音を検知させ、
前記音声検知装置が在室者を検知したときは、前記送風ファンの回転数を上げ、
前記音声検知装置が在室者を検知しないときは、空気調和機の運転を停止する空気調和機。
【請求項２】
空気調和機の運転中に、前記赤外線検知装置が前記設定時間在室者を検知しないときは、前記送風ファンの回転数を、通常運転時に設定可能な最低回転数まで下げることを特徴とする請求項１に記載の空気調和機。
【請求項３】
空気調和機の運転中に、前記赤外線検知装置が前記設定時間在室者を検知しないときは、前記送風ファンの回転数を、前記音声検知装置が検知する前記空気調和機の運転音が５０ｄＢ以下となる回転数にすることを特徴とする請求項１に記載の空気調和機。
【請求項４】
前記音声検知装置が在室者を検知したときは、前記送風ファンの回転数を、前記送風ファンの回転数を下げる前の回転数に戻すことを特徴とする請求項１乃至３のいずれかに記載の空気調和機。
【請求項５】
空気吸込み口及び空気吹出し口を有する筐体と、
前記筐体内に配置された熱交換器と、
室内の空気を前記空気吸込み口から吸込み、前記熱交換器を通してから前記空気吹出し口より吹出す送風ファンと、
在室者を検知する赤外線検知装置と、
前記室内の音を検知する音声検知装置と、を備え、
空気調和機の運転中に、前記赤外線検知装置が第１の設定時間在室者を検知しない場合は、空気調和機の設定温度を変更してセーブ運転を第２の設定時間行い、
前記セーブ運転時に前記赤外線検知装置が在室者を検知した場合は、前記セーブ運転を通常の運転に戻し、
前記セーブ運転時に前記赤外線検知装置が在室者を検知しない場合は、前記送風ファンの回転数を下げ、且つ、前記送風ファンの回転数を下げた後に前記音声検知装置に前記室内の音を検知させ、
前記音声検知装置が在室者を検知した場合は、前記送風ファンの回転数を上げ、且つ、前記セーブ運転終了後にさらに前記セーブ運転を第３の設定時間行い、
前記音声検知装置が在室者を検知しないときは、空気調和機の運転を停止する空気調和機。
【請求項６】
前記セーブ運転を設定した回数連続して繰り返した時は、空気調和機の運転を停止することを特徴とする請求項５に記載の空気調和機。
【請求項７】
前記音声検知装置は、
空気調和機の運転音の周波数域を特定しており、
前記音声検知装置が検知した音情報が前記空気調和機の運転音の周波数域以外の音情報を含んでいるときは、在室者がいると判断し、
前記音声検知装置が検知した音情報が前記空気調和機の運転音の周波数域以外の音情報を含んでいないときは、在室者がいないと判断する
ことを特徴とする請求項１乃至６のいずれかに記載の空気調和機。
【発明の詳細な説明】
【技術分野】
【０００１】
本発明は人検知機能を搭載した空気調和機に係り、特に、在室者の有無に応じて運転を変更する空気調和機に関する。
【背景技術】
【０００２】
空気調和機を運転した状態で、使用者が空気調和された室内を出た場合、無駄な運転が継続して、無駄な電力を消費することとなる。この課題に対して空気調和機に人検知センサを搭載し、在室者の有無を検知し、一定時間不在を検知したときにはセーブ運転に移行し、さらに一定時間不在を検知したときには運転を自動停止する方法が提案されている。
【０００３】
特許文献１は被検知体検知部で被検知体の検知が設定時間継続してできないときにはリモコンの設定値を変更して当該運転をセーブし、この運転をセーブ状態とした後に前記被検知体の検知がさらに設定時間継続してできないときには当該空気調和機の運転を停止状態とする。さらに運転をセーブ状態とするときおよび停止状態とするときに報知音および報知表示を行い、使用者に動きを促し、人検知センサの精度を高める空気調和機について開示している。
【先行技術文献】
【特許文献】
【０００４】
【特許文献１】特開２０００−７４４５２号公報
【発明の概要】
【発明が解決しようとする課題】
【０００５】
特許文献１ではセーブ状態および停止状態に移行するときに、報知音および報知表示を行うため、在室者の活動（例えばＴＶ・ラジオ視聴、音楽鑑賞）への配慮が十分ではない。
【０００６】
本発明の目的は、在室者の活動を阻害することなく、在室者の有無を判定する精度が高めた空気調和機を提供することにある。
【課題を解決するための手段】
【０００７】
本発明が解決しようとする課題は、空気吸込み口及び空気吹出し口を有する筐体と、前記筐体内に配置された熱交換器と、室内の空気を前記空気吸込み口から吸込み、前記熱交換器を通してから前記空気吹出し口より吹出す送風ファンと、在室者を検知する赤外線検知装置と、前記室内の音を検知する音声検知装置と、を備え、空気調和機の運転中に、前記赤外線検知装置が設定時間在室者を検知しないときは、前記送風ファンの回転数を下げ、且つ、前記送風ファンの回転数を下げた後に前記音声検知装置に前記室内の音を検知させ、前記音声検知装置が在室者を検知したときは、前記送風ファンの回転数を上げ、前記音声検知装置が在室者を検知しないときは、空気調和機の運転を停止することにより達成される。
【発明の効果】
【０００８】
在室者の活動を阻害することなく、在室者の有無を判定する精度が高めた空気調和機を提供することができる。
【図面の簡単な説明】
【０００９】
【図１】実施例の空気調和機の構成図である。
【図２】同空気調和機の室内機の断面図である。
【図３】同空気調和機の室外機の断面図である。
【図４】同空気調和機の冷媒回路図である。
【図５】同室内機の外観斜視図である。
【図６】同室内機の上下風向板を開いた外観斜視図である。
【図７】同空気調和機の動作手順フローチャートである。
【図８】同空気調和機の動作手順フローチャートである。
【図９】同空気調和機の動作手順フローチャートである。
【発明を実施するための形態】
【００１０】
以下、本発明の実施例について図を用いて説明する。図における同一符号は同一物若しくは相当物を示す。
【実施例１】
【００１１】
まず、空気調和機の全体構成について図１〜図６を用いて説明する。図１は実施例の空気調和機の構成図である。図２は空気調和機の室内機の断面図である。図３は空気調和機の室外機の断面図である。図４は空気調和機の冷媒回路図、（ａ）は冷房・除湿運転時の冷媒の流れ方向を示す図、（ｂ）は暖房運転時の冷媒の流れ方向を示す図である。図５は室内機の外観斜視図である。図６は室内機の上下風向板を開いた外観斜視図である。
【００１２】
空気調和機１は、室内機２と室外機６とを接続配管８で繋ぎ、室内を空気調和する。室内機２は、筐体ベース２１の中央部に室内熱交換器３３を置き、室内熱交換器３３の下流側に室内熱交換器３３の幅と略等しい長さの横流ファン方式の室内送風機３１１を配置し、露受皿３５等を取り付け、これらを化粧枠２３で覆い、化粧枠２３の前面に前面パネル２５を取り付けている。この化粧枠２３には、室内空気を吸い込む空気吸込み口２７と、温湿度が調整された空気を吹出す空気吹出し口２９とが上下に設けられている。室内熱交換器３３の空気流下流には室内送風機３１１が設けられ、室内送風機３１１が回転すると室内空気が室内機２に設けられた空気吸込み口２７から室内熱交換器３３、室内送風機３１１を通って室内送風機３１１の長さに略等しい幅を持つ吹出し風路２９０に流れ、吹出し風路２９０途中に配した左右風向板２９５で気流の左右方向を偏向され、更に、空気吹出し口２９に配した上下風向板２９１，２９２で気流の上下方向を偏向されて室内に吹出す。
【００１３】
筐体ベース２１には、室内送風機３１１，フィルタ２３１，２３１′，室内熱交換器３３，露受皿３５，上下風向板２９１，２９２，左右風向板２９５等の基本的な内部構造体が取り付けられ、これらの基本的な内部構造体は、筐体ベース２１，化粧枠２３，前面パネル２５からなる筐体２０に内包され室内機２を構成する。
【００１４】
室外機６はベース６１に圧縮機７５，室外熱交換器７３などが搭載され、外箱６２に覆われ、室外送風機６３で外気を室外熱交換器７３に流し、内部を流れる冷媒と熱交換し、送風機カバー６３５を通って機外に吹出させる。
【００１５】
冷房・除湿運転時には図４（ａ）のように、冷媒を圧縮機７５，冷媒流路切換弁７２，室外熱交換器７３，冷暖房絞り装置７４，除湿加熱器３３２，除湿絞り装置３４，除湿冷却器３３３，冷媒流路切換弁７２の順に流して圧縮機７５に戻し、冷房・除湿運転にあわせて冷暖房絞り装置７４，除湿絞り装置３４を適宜に絞りまたは開放して冷媒を制御し、圧縮機７５，室外送風機６３，室内送風機３１１を適切な回転数で運転して周知の冷房・除湿運転を行う。
【００１６】
また、暖房運転時には図４（ｂ）のように、冷媒流路切換弁７２を切換えて、冷媒を逆向きに流し、同様に周知の暖房運転を行う。
【００１７】
また、前面パネル２５の下部右側には、運転状況を表示する表示装置３９７と、別体のリモコン５からの赤外線の操作信号を受ける受光部３９６とが配置されている。
【００１８】
化粧枠２３の下面に形成される空気吹出し口２９は、前面パネル２５との分割部に隣接して配置され、奥の吹出し風路２９０に連通している。２枚の上下風向板２９１，２９２は、閉鎖状態で、吹出し風路２９０をほぼ隠蔽して室内機２の底面に連続する大きな曲面を有するように構成されている。これらの上下風向板２９１，２９２は、両端部に設けた回動軸を支点にして、リモコン５からの指示に応じて、駆動モータにより空気調和機１の運転時に回動して空気吹出し口２９を開き、その状態に保持する。空気調和機１の運転停止時には、これらの上下風向板２９１，２９２は空気吹出し口２９を閉じるように制御される。
【００１９】
左右風向板２９５は、下端部に設けた回動軸を支点にして駆動モータにより回動され、リモコン５からの指示に応じて回動されてその状態に保持される。これによって、吹出し空気が左右の所望の方向に吹出される。なお、リモコン５から指示することにより、空気調和機１の運転中に上下風向板２９１，２９２，左右風向板２９５を周期的に揺動させ、室内の広範囲に周期的に吹出し空気を送ることもできる。
【００２０】
可動パネル２５１は、下部に設けた回動軸を支点として駆動モータにより回動され、空気調和機１の運転時に前側空気吸込み部２３０′を開くように構成されている。これによって、室内空気は、運転時に前側空気吸込み部２３０′からも室内機２内に吸引される。空気調和機１の停止時には、前側空気吸込み部２３０′は閉じるように制御される。
【００２１】
室内機２は、内部の電装品ボックスに制御基板を備え、この制御基板にマイコンが設けられる。このマイコンは、室内温度センサ，室内湿度センサ等の各種のセンサからの信号を受けると共に、リモコン５からの操作信号を受光部３９６を介して受ける。このマイコンは、これらの信号に基づいて、室内送風機３１１，可動パネル駆動モータ，上下風向板駆動モータ，左右風向板駆動モータ等を制御すると共に、室外機６との通信を司り、室内機２を統括して制御する。
【００２２】
フィルタ２３１，２３１′は、吸い込まれた室内空気中に含まれる塵埃を取り除くためのものであり、室内熱交換器３３の吸込側を覆うように配置されている。露受皿３５は、室内熱交換器３３の前後両側の下端部下方に配置され、冷房運転時や除湿運転時に室内熱交換器３３に発生する凝縮水を受けるために設けられている。受けて集められた凝縮水はドレン配管３７を通して室外に排出される。
【００２３】
赤外線検知装置１４、音声検知装置１７は吹出し風路上方拡大部２９０ｅの長手方向の中央部に設け、運転時には図６のように室内を検知できるようにしつつ、運転停止時には図５のように上側上下風向板２９１で室内から遮蔽し、室内に違和感を与えないようにした。
【００２４】
赤外線検知装置１４は使用者の手、脚、顔など体の一部の動きを検知し、マイコンへ検知信号を送る。マイコンはこの信号を処理することで室内の在室者の有無を知ることができる。これにより室内の在室者の有無に応じて、例えば不在であれば運転をセーブする、停止するなどして省エネ性や利便性を向上することができる。
【００２５】
音声検知装置１７は室内の音を検知し、マイコンへ検知信号を送る。マイコンはこの信号を処理することで室内の音声状況を知ることができる。例えばエアコンの運転音であったり、掃除機などのモータ音であったり、ＴＶやラジオであったり、会話を検知することができる。
【００２６】
実施例では赤外線検知装置１４として焦電型の赤外線センサを用い、音声検知装置１７としてマイクロフォンを用いる。
【００２７】
次に、在室者の有無に応じて空気調和機の運転を制御する方法について図７〜図９のフローチャートを用いて説明する。図７は通常の運転からセーブ運転までのフローチャートである。図８はセーブ運転から運転停止の仮判定までのフローチャートである。図９は運転停止の仮判定から運転停止までのフローチャートである。
【００２８】
空気調和機１が運転している状態において、まず使用者が運転を意図して停止しようとしているか、すなわち切タイマを設定しているか否かを判断し（Ｓｔｅｐ１）、切タイマが設定されていれば使用者の意図を尊重し、そのままの状態で運転を継続する（Ｓｔｅｐ２）。
【００２９】
続いてカウンタを初期化し（Ｓｔｅｐ３）、赤外線検知装置１４で被検知体（使用者など）の有無を判断する（Ｓｔｅｐ４）。被検知体を検知しなかったときにはカウンタを１進め（Ｓｔｅｐ５）、カウンタが閾値１以上か判定し（Ｓｔｅｐ６）、カウンタが閾値１以上になるまでＳｔｅｐ４〜Ｓｔｅｐ６を繰り返す。すなわちカウンタが閾値１以上になるまで赤外線検知装置１４で被検知体の監視を行う。カウンタが閾値１以上になるまでの間に赤外線検知装置１４で被検知体を検知したときにはＳｔｅｐ３に戻り、カウンタを初期化し、赤外線検知装置１４での被検知体の検知を再開する。
【００３０】
このように閾値１になるまでの間に室内で被検知体を検知すると、通常の運転を継続することから、室内の快適性が保たれる。実施例では閾値１を３０分としているが、この閾値１を使用者が例えばリモコン５で設定可能としても良い。また、閾値１を所定の時間ではなく、所定の回数としてよい。
【００３１】
カウンタが閾値１以上となるとＳｔｅｐ７へ進み、セーブ運転を行う。セーブ運転は、例えば冷房運転においてはリモコン５の設定温度に対して数度上げた目標温度になるように室温を制御することで省エネとする運転である。つまり閾値１の間、室内に被検知体がいないと判断できた場合には、必要最小限の運転とすることで省エネ性を向上することができる。
【００３２】
セーブ運転を開始すると同時にカウンタを初期化し（Ｓｔｅｐ８）、赤外線検知装置１４で被検知体の検知を再開する（Ｓｔｅｐ９）。被検知体を検知しなかったときにはカウンタを１進め（Ｓｔｅｐ１０）、カウンタが閾値２以上か判定し（Ｓｔｅｐ１１）、カウンタが閾値２以上になるまでＳｔｅｐ９〜Ｓｔｅｐ１１を繰り返す。すなわちカウンタが閾値２以上になるまで赤外線検知装置１４で被検知体の監視を行う。カウンタが閾値２以上になるまでの間に赤外線検知装置１４で被検知体を検知したときには、リモコン５の設定にしたがって運転を行い（Ｓｔｅｐ１２）、Ｓｔｅｐ３に戻る。すなわちセーブ運転を解除し、空気調和機の設定温度をセーブ運転を行う前の設定温度とすることで通常の運転に戻し、カウンタを初期化し、赤外線検知装置１４での被検知体の検知を再開する。なお、通常の運転に戻す際に、空気調和機の設定温度を必ずしもセーブ運転を行う前の設定温度にしなくとも、他の設定温度に変更してもよい。
【００３３】
このように閾値２になるまでの間に室内で被検知体を検知すると、セーブ運転から通常運転に戻ることで、室内の快適性を速やかに戻すことができる。これにより使用者が室内から移動し、その後、戻ってきたときの省エネ性と快適性を両立することができる。実施例では閾値２を１１０分としているが、この閾値２についても使用者が例えばリモコン５で設定可能としても良い。
【００３４】
カウンタが閾値２以上となると、運転停止に向けた最終確認を行う。これは使用者などが室内にいるにもかかわらず、動きがなかったり、周囲の温度と使用者などの温度に差がなかったりして、検知できないことがあるからである。したがって、この最終確認では赤外線検知装置１４に加えて、音声検知装置１７で室内の音情報を検知することで、赤外線検知装置１４で被検知体を検知できなかったのは本当に被検知体が室内にいなかったからなのか、何らかの理由で検知できなかったからなのか判定することができる。こうすることで使用者などが室内にいるにもかかわらず空気調和機の運転を停止して、快適性が悪化することを防止することができる。
【００３５】
最終確認では、まず赤外線検知装置１４で被検知体の検知を行う（Ｓｔｅｐ１３）。被検知体を検知しなかったときには音声検知装置１７の検知能力を高めるために、風速を最小とする（Ｓｔｅｐ１４）。具体的には、音声検知センサが検知する送風ファンの回転音が５０ｄＢ以下になるように、風速を下げる。続いて音声検知装置１７で室内の音声情報を検知する（Ｓｔｅｐ１５）。検知結果が空気調和機の運転音のみであったときには、使用者が室内にはいないと判断し、空気調和機の運転を停止する。これにより使用者が長時間室内を空けて戻らなかったときには当該空気調和機の運転が停止されることから、待機電力のみとなり、大幅な省エネを図ることができる。
【００３６】
音声検知装置１７の検知結果が、例えば掃除機などのモータ音であったり、ＴＶやラジオであったり、会話であったりしたときには、使用者がいる可能性が高いため、時間を置いて再確認を行う。そのために一旦Ｓｔｅｐ１４で変更した風速を変更する前の元の回転数に戻し、所定の時間だけセーブ運転を行う（Ｓｔｅｐ１６）。実施例では設定時間を３０分としている。なお、一旦Ｓｔｅｐ１４で変更した風速を変更する前の元の回転数に戻すだけでなく、Ｓｔｅｐ１４で変更した風速を他の回転数になるように上昇させてもよい。
【００３７】
空気調和機は、空気調和機の運転音、使用者の音声、掃除機のモータ音などにおける主な周波数を予め記憶している。ここで、音声検知装置１７で検知した値から空気調和機の運転音、使用者の音声、掃除機のモータ音などに対応する所定の周波数域を取り出す計算を行う。そして、音声検知装置１７の検知結果が空気調和機の運転音における周波数域における音声データのみ検知された場合は、使用者が室内にはいないと判断する。つまり、音声検知装置１７は、空気調和機の運転音の周波数域を特定しており、音声検知装置１７が検知した音情報が前記空気調和機の運転音の周波数域以外の音情報を含んでいるときは、在室者がいると判断し、音声検知装置１７が検知した音情報が空気調和機の運転音の周波数域以外の音情報を含んでいないときは、在室者がいないと判断する。
【００３８】
セーブ運転を設定時間行った後で、Ｓｔｅｐ１３〜Ｓｔｅｐ１５と同様に赤外線検知装置１４および音声検知装置１７で検知を行う（Ｓｔｅｐ１７〜Ｓｔｅｐ１９）。赤外線検知装置１４で被検知体を検知できず、かつ音声検知装置１７の検知結果が空気調和機の運転音のみであったときには、使用者が室内にはいないと判断し、空気調和機の運転を停止する。赤外線検知装置１４で被検知体を検知できなかったが、音声検知装置１７の検知結果が空気調和機の運転音のみではなかったときには、使用者がいる可能性が高いため、時間を置いて再々確認を行う。再々確認はＳｔｅｐ１６〜Ｓｔｅｐ１７と同様にセーブ運転を設定時間行い、赤外線検知装置１４で検知を行う（Ｓｔｅｐ２０〜Ｓｔｅｐ２１）。実施例では設定時間を３０分としている。
【００３９】
Ｓｔｅｐ２１においても赤外線検知装置１４で被検知体を検知できなかったときには、Ｓｔｅｐ１５、Ｓｔｅｐ１９での空気調和機の運転音のみではなかったとしても、これらは戸外の騒音など使用者などとは関係のない音声情報であったと判断し、空気調和機の運転を停止する。
【００４０】
Ｓｔｅｐ１３、Ｓｔｅｐ１７、Ｓｔｅｐ２１において赤外線検知装置１４で被検知体を検知したときには、リモコン５の設定にしたがって運転を行い（Ｓｔｅｐ２２）、Ｓｔｅｐ３に戻る。すなわちセーブ運転を解除し、通常の運転に戻り、カウンタを初期化し、赤外線検知装置１４での被検知体の検知を再開する。セーブ運転から通常運転に戻ることで、室内の快適性を速やかに戻すことができる。これにより使用者が室内から移動し、その後、戻ってきたときの快適性と省エネ性を両立することができる。
【００４１】
ここでは、Ｓｔｅｐ１５及びＳｔｅｐ１９でのみ音声検知装置１７による検知を行うことについて説明したが、他のＳｔｅｐで音声検知装置１７による検知を行うようにしてもよい。但し、室内送風機３１１は音声検知装置１７が設置された場所に近く、室内送風機３１１の運転音が音声検知装置１７に検知されやすい。そのため、音声検知装置１７による検知を行うときは、音声検知装置１７の検知能力を高めるために、室内送風機３１１の回転数を弱める必要がある。つまり、音声検知装置１７による検知に伴って、風量を減少させるため、使用者の快適性を損なう場合がある。そのため、赤外線検知装置１４で使用者が検知されず、使用者が室内に在室している可能性が低いときに始めて音声検知装置１７による検知を行うことで、使用者が室内に在室しているときに、風量を減少させる可能性を下げることができる。
【００４２】
従って、在室者を検知する赤外線検知装置１４と、室内の音を検知する音声検知装置１７と、を備え、空気調和機の運転中に、赤外線検知装置１４が設定時間在室者を検知しないときに、室内送風機３１１の回転数を下げ、且つ、室内送風機３１１の回転数を下げた後に音声検知装置１７に室内の音を検知させ、音声検知装置１７が在室者を検知したときは、室内送風機３１１の回転数を上げ、音声検知装置１７が在室者を検知しないときは、空気調和機の運転を停止することにより、室内送風機３１１の運転音を低下させてから音声検知装置１７に室内の音を検知させるため、在室者を検知する精度が高まる。また、赤外線検知装置１４が設定時間在室者を検知しないときに始めて、室内送風機３１１の回転数を下げるため、在室者がいる状態で室内送風機３１１の回転数を下げる確率を低下させることができ、在室者の快適性を損なわない。
【００４３】
ここで、空気調和機の運転中に、赤外線検知装置１４が設定時間在室者を検知しないときは、室内送風機３１１の回転数を、通常運転時に設定可能な最低回転数まで下げる。なお、通常運転時に設定可能な回転数とは、例えば強風、中風、弱風、微風に対応する回転数である。この場合、通常運転時に設定可能な最低回転数とは微風となる。
【００４４】
また、音声検知制御は、室内送風機１３の回転数を、空気調和機の運転音が５０ｄＢ以下となる回転数にすることにより、在室者の有無を判定する精度を高めることができる。
【００４５】
また、音声検知装置が在室者を検知したときは、送風ファンの回転数を、送風ファンの回転数を下げる前の回転数に戻す。
【００４６】
また、空気吸込み口及び空気吹出し口を有する筐体と、筐体内に配置された熱交換器と、室内空気を空気吸込み口より吸込み、空気吹出し口より吹出す室内送風機３１１と、室内送風機３１１の吹出し風路に設けた左右風向板と、室内送風機３１１の吹出し風路に設けた上下風向板と、在室者を検知する赤外線検知装置１４と、室内の音を検知する音声検知装置１７と、を備え、空気調和機の運転中に、赤外線検知装置１４が第１の所定時間内に在室者を検知しない場合は、空気調和機の設定温度を変更してセーブ運転を第２の設定時間行い、セーブ運転時に赤外線検知装置１４が在室者を検知した場合は、セーブ運転を通常の運転に戻し、セーブ運転時に赤外線検知装置１４が在室者を検知しない場合は、室内送風機３１１の回転数を下げ、且つ、室内送風機３１１の回転数を下げた後に音声検知装置１７に室内の音を検知させ、音声検知装置１７が在室者を検知した場合は、室内送風機３１１の回転数を上げ、且つ、セーブ運転終了後にさらにセーブ運転を第３の設定時間行い、音声検知装置１７が在室者を検知しないときは、空気調和機の運転を停止することにより、在室者の活動を阻害することなく、在室者の有無を判定する精度を高め、自動的に快適運転や省エネ運転を行うことができる。
【００４７】
また、セーブ運転を所定の回数繰り返した時は、音声検知装置１７が空気調和機の運転音以外を検知した場合であっても、空気調和機の運転を停止することにより、在室者の有無の最終確認において複数回検知動作をすることで、誤検知による運転停止を防止しつつ、在室者の有無に応じて自動的に快適運転や省エネ運転を行うことができる。
【００４８】
また、音声検知装置１７は、空気調和機の運転音の周波数域を特定しており、音声検知装置１７が検知した音情報が空気調和機の運転音の周波数域以外の音情報を含んでいるときは、在室者がいると判断し、音声検知装置１７が検知した音情報が空気調和機の運転音の周波数域以外の音情報を含んでいないときは、在室者がいないと判断することにより、音声検知装置が検知した音情報から在室者の有無をより精度良く判断することができる。なお、空気調和機の運転音は室内送風機１３から吹出す気流に基づく音が支配的であるため、室内送風機１３から吹出す気流に基づく音の周波数域を予め特定し、音声検知装置１７が検知した音情報が室内送風機１３から吹出す気流に基づく音の周波数域以外の音情報を含んでいるか分析するようにしてもよい。
【符号の説明】
【００４９】
１  空気調和機
２  室内機
５  リモコン
６  室外機
８  接続配管
１４  赤外線検知装置
１７  音声検知装置
２０  筐体
２１  筐体ベース
２３  化粧枠
２５  前面パネル
２７  空気吸込み口
２９  空気吹出し口
３３  室内熱交換器
３４  除湿絞り装置
３５  露受皿
３７  ドレン配管
６１  ベース
６２  外箱
６３  室外送風機
７２  冷媒流路切換弁
７３  室外熱交換器
７４  冷暖房絞り装置
７５  圧縮機
２３０，２３０′  空気吸込み部
２３１，２３１′  フィルタ
２５１  可動パネル
２９０  吹出し風路
２９０ａ  吹出し風路上壁
２９０ｂ  吹出し風路下壁
２９０ｅ  吹出し風路上方拡大部
２９１  上側上下風向板
２９２  下側上下風向板
２９５  左右風向板
３１１  室内送風機
３３２  除湿加熱器
３３３  除湿冷却器
３９６  受光部
３９７  表示装置
６３５  送風機カバー
【図１】
0005723734.tif 000002
【図２】
0005723734.tif 000003
【図３】
0005723734.tif 000004
【図４】
0005723734.tif 000005
【図５】
0005723734.tif 000006
【図６】
0005723734.tif 000007
【図７】
0005723734.tif 000008
【図８】
0005723734.tif 000009
【図９】
0005723734.tif 000010